(57)【要約】【課題】  本発明は配送される荷物に広告を付加する広告システムに関し、宛先の属性に対応した適切な広告を提供することができる広告システムを提供するものである。【解決手段】  出荷された荷物の宛先を読み取って自動的に配達先に仕分けする配送センタにおいて、配送される途中の荷物に広告を付加する構成であり、配送センタには、出荷された荷物の仕分け時、１個ずつ荷物を通過させるゲートがあり、この場所で広告を付与するように構成し、特別なスペースを不要とすると共に、仕分け時に必然的に宛先を読み取る作業が行われるため、多大な設備投資が不要である。すなわち、仕分け装置には高性能のコンピュータシステムが接続され、蓄積された顧客情報を利用して、新たなコンピュータシステムを追加することなく、宛先の属性に対応した適切な広告を提供することができる。【選択図】  図１
2006155420.tif 000002
【特許請求の範囲】
【請求項１】
少なくとも荷主の属性情報を収集した顧客データベースと付与する広告の広告情報データベースを保有すると共に、集荷された荷物の宛先情報を読み取って自動的に配達先に仕分けする配送センタにおいて使用する広告システムであり、
読み取った荷物の宛先情報に基づき前記顧客データベースから該当する顧客の属性情報を出力し、当該属性情報が前記広告情報データベースの中の広告を付与すべき選択条件を満足するか否かを判断する判断手段と、
前記条件を満足する荷主の荷物に対して広告情報を付加する広告情報付加手段と、
を有することを特徴とする広告システム。
【請求項２】
前記広告を付与すべき選択条件として、少なくとも広告情報を付与する期間の条件を含むことを特徴とする請求項１記載の広告システム。
【請求項３】
前記広告を付与すべき選択条件として、少なくとも地域の条件を含むことを特徴とする請求項１記載の広告システム。
【請求項４】
前記広告情報は、荷物のパッケージに光学的に読み取り可能な識別表示として付与することを特徴とする請求項１記載の広告システム。
【請求項５】
前記広告情報を、荷物に付加された電子記録媒体に付与することを特徴とする請求項１記載の広告システム。
【発明の詳細な説明】
【技術分野】
【０００１】
本発明は配送される荷物に広告を付与する広告システムに関する。
【背景技術】
【０００２】
従来、広告媒体として配送される荷物の包装容器に広告を印刷し、又は広告を印刷したラベルを貼付する広告システムが提案されている。一方、顧客情報に基づいて、宅配業者が年齢、男女、趣味等の属性に対応した適切な広告媒体を選択し、広告媒体を各顧客に配達する広告システムも提案されている。
【０００３】
例えば、特許文献１には広告主から依頼された広告媒体を携行し、顧客宅に届ける宅配業者が、自身の顧客情報を利用して各顧客に対して適切な広告媒体を選択し、効果的な広告媒体の配布を行う広告システムが開示されている。
【特許文献１】特開２００２−１１７１１４号公報
【発明の開示】
【発明が解決しようとする課題】
【０００４】
しかしながら、上記のような広告システムには、以下の問題がある。すなわち、荷物の包装容器に広告を印刷し、又は広告ラベルの貼付作業を行うには、一定数量の荷物を収集して行う必要がある。この為、荷物を集積し、保管する広いスペースが必要になる。
【０００５】
また、広告を付加する作業に専用の要員を手配し、またその準備期間も必要になり、コストアップの原因になる。また、適切な時機に広告を送付することが困難になる。
さらに、顧客情報を利用して各顧客に対して適切な広告媒体を選択し、配布を行うシステムにおいても、属性条件に合致する荷物が設定された数量を集める必要があり、集積までに期間を要し、スペースの確保という問題も発生する。
【０００６】
また、顧客に対応した適切な広告を選択するため、コンピュータ装置、荷物移動装置等を組み合わせた新たなシステムを構築する必要があり、多大な設備投資が必要になる。
本発明は上記課題を解決すべく、出荷された荷物の宛先を読み取って自動的に配達先に仕分けする配送センタにおいて、配送中の荷物に広告を付加する構成であり、出荷された荷物の仕分け時、１個ずつ荷物を通過させるゲートに対し、その場所で広告を付与する構成とし、特別なスペースを不要とすると共に、仕分け時に必然的に宛先を読み取る作業が行われるため、多大な設備投資が不要である。すなわち、仕分け装置には既に設置されている高性能のコンピュータシステムが接続され、蓄積された顧客情報を利用して、新たなコンピュータシステムを追加することなく、宛先の属性に対応した適切な広告を提供することができる。
【課題を解決するための手段】
【０００７】
上記課題は本発明によれば、少なくとも荷主の属性情報を収集した顧客データベースと付与する広告の広告情報データベースを保有すると共に、集荷された荷物の宛先情報を読み取って自動的に配達先に仕分けする配送センタにおいて使用する広告システムであり、読み取った荷物の宛先情報に基づき前記顧客データベースから該当する顧客の属性情報を出力し、当該属性情報が前記広告情報データベースの中の広告を付与すべき選択条件を満足するか否かを判断する判断手段と、前記条件を満足する荷主の荷物に対して広告情報を付加する広告情報付加手段とを有する広告システムを提供することによって達成できる。
【０００８】
すなわち、本発明は流通する荷物の中から広告を付加すべき属性を満足する顧客宛の荷物を選定して広告を付加するものであり、宛先の属性情報に適した広告を提供することができる。特に、このような広告システムを配送センタに構築することにより、大量の荷物を集める必要がなく、荷物を集積、保管する広大なスペースも不要な広告システムを構築することができる。
【０００９】
また、荷物に広告を付加する際、既存の仕分けシステムが利用でき、例えば印刷装置等の設備を追加するだけで、荷物に広告を付加することができる。  さらに、配送センタでの荷物の仕分け作業に付随して、広告の付加作業を行うことができ、専用の要員や作業時間を節約でき、低コストで広告を付加することができる。
【００１０】
また、前記広告を付加すべき選択条件として、少なくとも期間の条件を含む構成である。この期間の条件とは、例えば広告クライアントが要望する広告掲載期間、あるいは特定条件付きの広告掲載期間が該当する。
【００１１】
また、前記広告を付与すべき選択条件として、少なくとも地域の条件を含む構成である。そして、この地域の条件に該当する荷物に対して広告情報を付与する。
また、前記広告情報は、荷物のパッケージに光学的に読み取り可能な識別表示を付加する構成である。例えば、荷物のパッケージに広告をプリントして付加する場合、広告を掲載できるスペースは限定されるため、広告情報を充分伝えることができない。光学的に読み取り可能な識別表示は、デジタルデータをプリントして記録するものであり、デジタルデータであれば、データ圧縮技術等の応用で大きなデータを小さな面積の識別表示として記録することができる。この構成により、荷物にプリントして付加された小さな面積の識別表示を読み取り、例えばコンピュータのモニタで大画面の広告として表示することができる。
【００１２】
また、前記広告情報を、荷物に付加された電子記録媒体に付与する構成である。荷物のプリントで広告を付与する場合には、荷物のパッケージに光学的に読み取り可能な識別表示を付加したとしても、データ量に制限がある。そこで、ＲＦＩＤタグ等の電子記録媒体を使用し、大量の広告情報を記録すると共に、より多様な広告表現を可能とする。
【発明の効果】
【００１３】
本発明によれば、効果的な広告宣伝を行うことができる広告システムが構築可能である。
すなわち、本発明は集積された荷物の宛先を読み取って自動的に配達先に仕分ける配送センタにおいて、配送される途中の荷物に広告を付加するものであり、配送センタでは集荷された荷物を仕分ける際、１個ずつ荷物を通過させるゲートがあり、この場所で広告を付加する構成として、特別なスペースを不要とする。
【００１４】
また、仕分け時、必然的に宛先を読み取る作業が行われるため、特別に荷物の宛先を確認する装置を設置する必要もない。さらに、仕分け装置には高性能なコンピュータシステムが接続されているため、これに蓄積された顧客情報を利用して、新たなコンピュータシステムを追加することなく、荷物の宛先の属性に対応した適切な広告を選択して、広告を付与することが可能となる。
【発明を実施するための最良の形態】
【００１５】
以下、本発明の実施の形態を図面を参照しながら説明する。
（実施形態１）
図１は、本発明の広告システムが構築された配送センタの構成の一部を示す図であり、例えば搬送コンベア上を搬送される荷物の包装容器に広告を印刷する状態を示す図である。
【００１６】
荷物の包装容器１は、例えば広告が付与される前の製函された段ボール箱であり、搬送コンベア２に載せられ、矢印の方向に搬送される。包装容器１には、配送先の宛名、住所等が記載された送り状３が貼付してある。
【００１７】
配送先読み取り装置４は搬送コンベア２の近傍に設けられ、包装容器２に貼付された送り状３の画像データを読み取る。また、配送先読み取り装置４はケーブル５によりコンピュータ６に接続され、配送先読み取り装置４で読み取った送り状３の画像データはコンピュータ６に送られる。
【００１８】
コンピュータ６はＣＰＵ、ＲＯＭ、ＲＡＭ等で構成され、顧客データベース及び広告情報データベースを内蔵し、配送先の属性に最も合致する広告データを選択する。また、コンピュータ６は、ケーブル７を介してプリンタ装置８に接続されており、プリンタ装置８に広告情報を送信する。
【００１９】
プリンタ装置８は搬送コンベア２の側方に近接して配置され、不図示のインクジェットヘッドを備えており、インクジェットヘッドと包装容器１が一定の隙間を介して設置されている。この隙間は、例えば1.0〜2.0ｍｍに設定される。包装容器１がプリンタ装置８の前を通過する際、タイミングを合わせてコンピュータ６から広告情報がプリンタ装置８に送られ、インクが吐出して包装容器１の外面に付着し、広告画像９−１又は９−２を印刷する。
【００２０】
図２は上記構成の広告システムにおける機能ブロック図である。同図において、上記配送先読み取り装置４に対応する宛先読み取り手段１２は、前述のように包装容器２に貼付された送り状３の画像データを読み取る。そして、この画像データはコンピュータ６に送られ、画像データの解析処理が行われる。
【００２１】
ここで、送り状３の画像データには前述のように配送先の宛名、住所等が記載され、この記載から名前の文字、送り状の番号、識別表示等の情報を認識し、配送先や荷物を特定する。
【００２２】
顧客データベース１３はコンピュータ６に配設され、特定した配送先や荷物の情報から属性情報１４を取得する。すなわち、顧客データベース１３には、多数の顧客の年齢、性別、趣味、嗜好等の個人データ、及びこれまで配送された注文品のデータ等が記録されており、該当する配送先のこれらの属性情報１４が取得される。
【００２３】
コンピュータ６は更に、ＣＰＵで構成される演算手段１５によって上記属性情報１４に対応する広告データを演算する。すなわち、広告情報データベース１６には、多数の商品に関して、広告文、広告画像、及び商品を好むであろう人物の年齢、性別、趣味、嗜好等の属性が関連つけられて保存されている。
【００２４】
演算手段１５は上記属性情報１４に基づいて広告情報データベース１６を検索し、適切な広告データ１７を取得する。例えば、演算手段１５は、属性情報１４を広告情報データベース１６と比較し、好みが合致すると考えられる商品を選択し、該当する商品の広告データ１７を取得する。
【００２５】
この広告データ１７は、例えば広告文と広告画像等からなり、広告情報付加手段１８に送られる。この広告情報付加手段１８は前述のプリンタ装置８が対応し、プリンタ装置８によって、例えば前述の広告画像９−１又は９−２が包装容器１の外面に印刷される。この広告画像９−１、９−２は前述のように属性情報に合致したものであり、顧客のニーズに合った広告情報であり、効果的な広告宣伝効果を得ることができる。
【００２６】
尚、本例ではインクジェットプリンタによって包装容器１の外面に印字したが、例えば感熱転写プリンタにより感熱インクで広告情報を包装容器の外面に直接印字してもよく、或いはインクジェットプリンタ、感熱プリンタ、レーザープリンタ等を用いて粘着ラベルに広告情報を印字し、このラベルを包装容器１の外面に貼付してもよい。
【００２７】
また、本例では、荷物として段ボール箱を例として説明したが、封筒のような袋状の包装容器、或いは包装容器を用いない荷物では現物に直接広告情報を印字する構成としてもよい。
（実施形態２）
次に、本発明の実施形態２について説明する。
【００２８】
本例は上記実施形態と基本構成は同じであるが、広告情報を印刷する位置が異なり、包装内面に直接広告情報を印刷する。以下、具体的に説明する。
図３は本例の構成を説明する図であり、包装容器１は搬送コンベア２に載せられ、矢印の方向に搬送される。包装容器１には、前述と同様搬送先の宛名、住所等が記載された送り状３が貼付されている。配送先読み取り装置４は、包装容器１に貼付されている送り状３の画像データを読み取り、コンピュータ６に出力し、この画像データから、前述と同様名前の文字、送り状の番号、識別表示等の情報を認識し、配送先や荷物を特定する。そして、コンピュータ６は、前述の顧客データベースから属性情報を取得し、広告情報データベースを参照して配送先の属性に最も合致する広告データを選択する。
【００２９】
この広告データはコンピュータ６からプリンタ装置８に送られ、プリンタ装置８によって包装容器１の蓋２０の内面に直接印刷される。したがって、本例においてプリンタ装置８は搬送コンベア２の直上に配設され、インクジェットヘッドと包装容器１の蓋２０の隙間は、例えば1.0〜2.0ｍｍに設定される。
【００３０】
以上のように、包装容器１の包装内面に広告情報を印刷すれば、荷物を開梱した際広告が直接目に入り、有効な広告を行うことができる。また、秘密としたい情報、例えば個人的な情報に関連する広告も印刷することができる。
（実施形態３）
次に、本発明の実施形態３について説明する。
【００３１】
本例は上記実施形態と基本構成は同じであるが、広告情報を印刷した記録紙を包装容器１内に収納する構成であり、プリンタ装置はコンピュータ６から送信された広告情報を記録紙に印刷し、この記録紙を包装容器１に収納する構成である。以下、具体的に説明する。
【００３２】
図４は本例の構成を説明する図であり、包装容器１は搬送コンベア２に載せられ、矢印の方向に移動する。包装容器１には、前述と同様搬送先の宛名、住所等が記載された送り状３が貼付されている。配送先読み取り装置４は、包装容器１に貼付されている送り状３の画像データを読み取り、コンピュータ６に出力し、この画像データから、名前の文字、送り状の番号、識別表示等の情報を認識して、配送先や荷物を特定する。コンピュータ６は、前述の顧客データベースから属性情報を取得し、広告情報データベースから配送先の属性に最も合致する広告データを選択する。
【００３３】
この広告データはコンピュータ６からプリンタ装置２１に送られ、プリンタ装置２１によって広告用紙２２に広告情報が印刷される。尚、本例では、複数の広告用紙２２に広告情報が印刷される構成である。このようにして印刷された広告用紙２２は、不図示の広告用紙搬送装置によって包装容器内２３に送られて内包される。
【００３４】
以上のように構成することにより、大容量の広告情報を提供することができ、しかも顧客の属性に対応した適切な広告情報であり、更に有効な広告システムとすることができる。
（実施形態４）
次に、本発明の実施形態４について説明する。
【００３５】
本例は上記搬送コンベアに代えて電動カートを使用する構成であり、包装容器を電動カートに載せて移動し、包装容器内に物品、及び広告用紙を収納する構成である。以下、具体的に説明する。
【００３６】
図５は本例を説明する図であり、電動カート２５は不図示の移動機構によって予め設定されたコースを移動する。電動カート２５には包装容器１が載せてあり、包装容器１には配送先の宛名、住所等が記載された送り状３が貼付されている。
【００３７】
ハンディスキャナ２４は、電動カート２５に載せられた包装容器１の送り状３の画像データを読み取る配送先読み取り装置であり、ハンディスキャナ２４によって読み取られた画像データは無線送信され、アンテナ２７によって受信され、コンピュータ６に送られる。
【００３８】
また、電動カート２５が走行するコースには電動棚２６が設けられ、電動棚２６には複数の物品棚「１」、「２」、「３」、・・・、及びカタログ棚が配設されている。コンピュータ６は電動棚２６に接続され、物品棚「１」、「２」、「３」、・・・に対して商品の搬入指示を行い、カタログ棚に広告用紙の配布指示を行う。
【００３９】
コンピュータ６は上記ハンディスキャナ２４で読み取った情報を不図示の配送システム全体を管理するホストコンピュータに送り、配送先の特定を受ける。次いで、特定された配送先情報がコンピュータ６に供給され、コンピュータ６は前述のように顧客データベース、及び広告情報データベースを内蔵しており、配送先の属性に最も合致する広告データを選択する。
【００４０】
また、コンピュータ６にはプリンタ装置２８が接続され、コンピュータ６から広告データがプリンタ装置２８に送られ、広告用紙２９が印刷出力される。広告用紙２９は不図示の広告用紙搬送装置により、電動棚２６のカタログ棚に送られる。電動棚２６には不図示の商品選択装置により、配送すべき商品も供給されている。
【００４１】
作業者は、電動カート２５の移動に伴って配送すべき商品を物品棚「１」、「２」、「３」、・・・からピックアップして包装容器１に積み込み、最後にカタログ棚にある広告用紙２９を包装容器１に入れる。その後、梱包された包装容器１は、配達先毎に仕分けされ、目的地に送られる。
【００４２】
以上のように構成することによって、電動カート２５を使用して包装容器１に商品を搬入すると共に、顧客のニーズに合った広告用紙２９を包装容器１に入れることができる。また、本例においても大容量の広告情報を提供することができ、有効な広告システムとすることができる。
（実施形態５）
次に、本発明の実施形態５について説明する。
【００４３】
図６は本例の広告システムの機能ブロック図を示す。本例の広告システムは、コンピュータ、ハードディスク等の電子記憶装置、プリンタ装置、及び包装容器搬送装置等が適宜組み合わせて、配送先センタに配設される。
【００４４】
本例においては、宛先読み取り手段１２により、荷主から発送された荷物の配送先が特定され、配送先データが顧客データベース１３に送られる。顧客データベース１３には、前述のように多数の顧客の年齢、性別、趣味、嗜好等の個人データ、及びこれまで配送された注文品のデータ等が記録されており、該当する配送先のこれらの属性情報１４が出力される。
【００４５】
この属性情報１４は演算手段１５に送られる。一方、広告情報データベース１６にも前述のように、多数の商品に関して、個々の商品についての広告文、広告画像、及び商品を好むであろう人物の年齢、性別、趣味、嗜好等の属性が関連付けられて保存されている。
【００４６】
広告期間データベース３０には、広告クライアントが要望する広告掲載期間、或いは特定条件付きの広告掲載期間のデータが蓄積されている。ここで、特定条件付きの広告掲載期間とは、例えば梅雨明けした日、積雪の日、気温が３０℃以上の日等の気候条件、プロ野球で優勝が決まった日等が考えられる。尚、このような特定の条件が満足されたか否かの情報は、不図示のコンピュータシステムから供給され、広告期間データベース３０に随時入力される。
【００４７】
演算手段１５では、属性情報１４を広告情報データベース１６と比較し、好みが合致すると考えられる商品を選択し、更に広告期間データベース３０に蓄積された商品の広告期間の条件と比較して、該当する商品の広告データ１７を出力する。
【００４８】
この広告データ１７は、前述と同様広告文と広告画像等からなり、広告情報付加手段１８に送られる。広告情報付加手段１８は、少なくともプリンタ装置及びプリンタ制御装置からなり、広告データ１７を包装容器１の外面に可視情報として、直接印刷する。
【００４９】
配送センタにおいては、まさに流通時点での荷物の管理を行っており、梅雨明けした日や、気温が３０℃以上の日等の条件を正確に知ることができ、例えば梅雨明けした日にエアコンの広告を行い、気温が３０℃以上の日にビールの広告を行うことにより効果の高い広告を行うことができる。また、広告を付与する期間の条件の急な変更に対しても迅速に対応することができる。
（実施形態６）
次に、本発明の実施形態６について説明する。
【００５０】
図７は本例の広告システムの機能ブロック図を示す。本例の広告システムも、コンピュータ、ハードディスク等の電子記憶装置、プリンタ装置、及び包装容器搬送装置等が適宜組み合わせて、配送先センタに配設される。
【００５１】
本例においても、宛先読み取り手段１２により、荷主から発送された荷物の配送先が特定され、配送先データが顧客データベース１３に送られる。顧客データベース１３には、多数の顧客の年齢、性別、趣味、嗜好等の個人データ、及びこれまで配送された注文品のデータ等が記録されており、該当する配送先の属性情報１４を取得することができる。
【００５２】
この属性情報１４は演算手段１５に送られ、一方広告情報データベース１６には、多数の商品に関して、個々の商品についての広告文、広告画像、及び商品を好むであろう人物の年齢、性別、趣味、嗜好等の属性が関連付けられて保存されている。
【００５３】
一方、地域条件データベース３１には、広告クライアントが要望する広告掲載地域、或いは特定条件付きの広告掲載地域のデータが蓄積されている。演算手段１５では、属性情報１４を広告情報データベース１６と比較し、好みが合致すると考えられる商品を選択し、更に地域条件データベース３１に蓄積された商品の広告地域の条件と比較して、該当する商品の広告データ１７を取得する。
【００５４】
この広告データ１７は、広告文と広告画像等からなり、広告情報付加手段１８に送られる。広告情報付加手段１８は、少なくともプリンタ装置及びプリンタ制御装置からなり、広告データ１７を可視情報としてプリンタ装置から出力し、包装容器１に印字する。
【００５５】
本例で対象となる地域条件としては、例えば運動会が開催される小学校の学区、お祭りが開催される自治会の地域、高層住宅の地域、スーパーマーケットから一定距離以上離れた地域等が挙げられる。通常、配送センタは番地等の基本的な地域情報だけではなく、宅配便の配達員等からの確実で詳細な情報を把握しており、地域に関する種々の条件に対応することができ、効率のよい広告システムを構築することができる。
（実施形態７）
次に、本発明の実施形態７について説明する。
【００５６】
図８は本例の実施形態を説明するシステム構成図である。同図において、包装容器１は広告が付与される前の製函された段ボール箱であり、搬送コンベア２に載せられ、矢印の方向に搬送される。包装容器１には、配送先の宛名、住所等が記載された送り状３が貼付されている。
【００５７】
配送先読み取り装置４は、包装容器１に貼付されている送り状３の画像データを読み取り、ケーブル５によってコンピュータ６に出力する。コンピュータ６では、送り状３の画像データから名前の文字、送り状の番号、識別表示等の情報を認識して配送先や荷物を特定する。
【００５８】
コンピュータ６は、顧客データベースおよび広告情報データベースを内蔵しており、配送先の属性に最も合致する広告データを選択する。プリンタ装置７は搬送コンベア２の側方に近接して配置され、ケーブル７によりコンピュータ６に接続されている。プリンタ装置８は前述と同様不図示のインクジェットヘッドを備えており、インクジェットヘッドと包装容器１が一定のギャップを有して配設されている。
【００５９】
包装容器１がプリンタ装置８の前を通過する際、タイミングを合わせて、コンピュータ６より、広告データがプリンタ装置８に送信され、インクが吐出して包装容器１の外面にインクが付着し、識別表示３３が印刷されると共に、広告３４が選択的に印刷される。
【００６０】
図９は、製函された包装容器１であり、上記システムにより広告画像３４がプリントされ、更に光学的に読み取り可能な識別表示３３が付与された状態を示す。この光学的に読み取り可能な識別表示３３としては、大きな情報量を記録することが可能な識別表示が好適であり、例えばPDF417、DataMatrix、MaxiCode,  QRcode、AztecCode,  VeriCode 等の各種規格の識別表示が使用可能である。また、上記識別表示３３は、光学的なスキャナ、或いはカメラ付き携帯電話機を使用して読み込むことができる。
【００６１】
尚、同図の例では、広告効果を高める為識別表示３３と共に広告画像３４を付加しており、例えばワインの銘柄の詳細な説明が印刷されている。
以上のように構成することによって、静止画の広告に限定されることなく、デジタルデータを記録すれば、マルチメディア技術によって音声を付加することも可能となり、更に動画のデータとすることも可能となる。さらには、光学的に読み取り可能な識別表示に、インターネットのＵＲＬ(Uniform Resource Locator)を記録し、これをパーソナルコンピュータ、携帯電話機等に入力することにより、簡単に目的ホームページにアクセスすることも可能になる。
【００６２】
したがって、ユーザは当該ホームページにアクセスし、送り先の属性情報に対応した広告を見ることができ、膨大な量の広告情報を取得することができる。
（実施形態８）
次に、本発明の実施形態８について説明する。
【００６３】
図１０は本例の広告システムに使用する無線ＩＣタグの構成を説明する図である。本例で使用する電子記録媒体は、無線通信を利用した無線ＩＣタグであり、ＲＦＩＤ(Radio  Frequency  Identification）タグ４０を使用する。
【００６４】
ＲＦＩＤタグ４０は、少なくともプラスチック等の絶縁体からなる基板４１の上に形成されたタグアンテナ４２とＩＣチップ４３から成る。ＲＦＩＤタグ４０は荷物に貼付して送られる送り状に内包して使用される。ＩＣチップ４３には、少なくとも個々の荷物を特定する情報と付加される広告情報とを記録するメモリが内蔵されている。
【００６５】
図１１は、上記ＲＦＩＤタグ４０を使用した広告システムのシステム構成図である。コンピュータ６には、無線リーダーライタ（Ｒ／Ｗ）４４が接続されている。通常、送り状３は複数の枚葉の伝票形式で構成され、ＲＦＩＤタグ４０には粘着剤が塗布され、荷物に接着する最も下の用紙に内包される。ＲＦＩＤタグ４０を内包した送り状３は荷物に添付され、配送される。
【００６６】
ＲＦＩＤタグ４０から荷物を特定する情報の読み込み、及びＲＦＩＤタグ４０に付加される広告情報の書き込みは、無線リーダーライタ（Ｒ／Ｗ）４４に接続されたアンテナ４５を介して行われる。
【００６７】
図１２は上記構成の広告システムにおける機能ブロック図である。先ず、荷物に貼付されたＲＦＩＤタグ４０に記録される荷物の情報が無線リーダーライタ（Ｒ／Ｗ）４４で読み込まれ、荷主から発送された荷物の配送先が特定される。
【００６８】
次に、配送先データが顧客データベース１３に送られる。この顧客データベース１３には、前述のように多数の顧客の年齢、性別、趣味、嗜好等の個人データ、及びこれまで配送された注文品のデータ等が記録されており、該当する配送先のこれらの属性情報１４が出力される。演算手段１５では、属性情報１４を広告情報データベース１６と比較し、好みが合致すると考えられる商品を選択し、該当する商品の広告データ１７を出力する。この広告データ１７は、無線リーダーライタ（Ｒ／Ｗ）４４からＲＦＩＤタグ４０に送られ、ＲＦＩＤタグ４０の記録メモリに付加される。
【００６９】
このように構成することにより、例えば包装容器にＲＦＩＤタグ４０を付加した図１１に示す送り状３を貼着し、コンピュータ６の制御によってＲＦＩＤタグ４０から情報を読み出し、当該情報に基づく広告情報をＲＦＩＤタグ４０に記録することができる。
（実施形態９）
次に、本発明の実施形態９について説明する。
【００７０】
図１３は、本例を説明する広告システムのシステム構成図である。同図において、包装容器１は広告が付与される前の製函された段ボール箱であり、搬送コンベア２に載せられ、矢印の方向に搬送される。包装容器１には、配送先の宛名、住所等が記載された送り状３が貼付してあり、配送先読み取り装置４は包装容器１に貼付されている送り状３の画像データを読み取り、コンピュータ６に出力する。
【００７１】
コンピュータ６では、送り状３の画像データに基づいて、名前の文字、送り状の番号、識別表示等の情報を認識し、配送先や荷物を特定する。コンピュータ６は、顧客データベースおよび広告情報データベースを内蔵しており、配送先の属性に最も合致する広告データを選択する。
【００７２】
ＲＦＩＤタグ貼付装置５０は、ＲＦＩＤタグ供給ロール５１と巻き取りロール５２で構成されている。粘着剤が付着された多数のＲＦＩＤタグ４０は長尺のフィルム上に担持されてロール状であり、ＲＦＩＤタグ供給ロール５１に取り付けられている。ＲＦＩＤタグ貼付装置５０は、搬送コンベア２の側方に近接して配置され、ケーブル５３によってコンピュータ６に接続されている。また、コンピュータ６には図示しない無線リーダーライタが接続されている。
【００７３】
そして、包装容器１がＲＦＩＤタグ貼付装置５０を通過する際、コンピュータ６から広告データが不図示の無線リーダーライタに送られ、貼付されるべきＲＦＩＤタグ４０に記録される。ここで使用される無線リーダーライタは、例えば前述の図１１に示す無線リーダーライタ４４であり、アンテナを介してＲＦＩＤタグ供給ロール５１に担持されたＲＦＩＤタグ４０に記録される。
【００７４】
尚、この際アンテナを介してＲＦＩＤタグ４０とのデータの送受信が行われるが、包装容器１内に金属製の荷物が入っている場合電波の障害となるので、アンテナの位置は荷物の後側ではなく、ＲＦＩＤタグ４０を貼付する側に配置する。
【００７５】
包装容器１がＲＦＩＤタグ貼付装置５０の前を通過する時のタイミングに合わせて、コンピュータ６はケーブル５３を介してＲＦＩＤタグ貼付装置５０に信号を送り、ＲＦＩＤタグ供給ロール５１と巻き取りロール５２を回転し、不図示の送り状添付機構により、広告データを付加されたＲＦＩＤタグ４０が包装容器１に貼り付けられる。
【００７６】
また、ＲＦＩＤタグ４０を貼付する装置、及び方法としては、通常の粘着ラベルを貼付するために使用される種々の装置、及び方法が使用される。
また、図１４は本例の広告システムに使用するＲＦＩＤタグ４０の貼着例であり、同図Ａは断面図を示し、同図Ｂは平面図を示す。先ず、同図Ａに示す断面図において、粘着剤６０が付加された複数のＲＦＩＤタグ４０は、剥離剤６１が塗布された長尺のフィルム機材６２上に一定間隔で担持されている。フィルム機材６２はＲＦＩＤタグ４０と共にロール状に巻き取られた状態から供給される。
【００７７】
使用時には、ＲＦＩＤタグ４０は粘着剤６０と共にフィルム機材６２から剥がれ、包装容器１に貼付される。フィルム基材としては、ポリイミドフィルム、ポリエステルフィルム、ＰＥＴフィルム、ビニルフィルム、紙等の種々の素材の中から強度、寸法安定性、耐湿性等の必要な条件を満たす材料が選択される。但し、無線でＲＦＩＤタグとのデータの読み込みと書き込みを行うため、電波の障害となるアルミニウム蒸着フィルム等の抵抗値の低いフィルムは使用を避ける必要がある。
【００７８】
以上のように、RFIDタグ等の電子記録媒体を使用すれば、荷物と非接触で広告を付加することができ、荷物の仕分けサイトでの広告を付加する装置を簡単な構成とすることができる。また、この電子記録媒体は、荷物の配送センタでの仕分け作業等の物流管理にも使用されるものであり、電子記録媒体の物流管理用として使用されるメモリ部分以外の空いたメモリ部分に広告を付加し、仕分け作業用の電子記録媒体装置を流用すれば、新たな電子記録媒体や広告記録用の装置を準備することなく、荷物に広告を付加することが可能になる。
（実施形態１０）
次に、本発明の実施形態１０について説明する。
【００７９】
図１５は本例に使用するＲＦＩＤタグの例であり、同図Ａは断面図を示し、同図Ｂは平面図を示す。先ず、同図Ａにおいて、ＩＣチップにアンテナを内蔵した微小なアンテナ内蔵ＩＣタグ７０は、長尺のフィルム基材７１上に塗布された熱可塑性樹脂７２に一定間隔を保って担持されている。また、同図Ｂに示すように、テープ状の長尺フィルム基材の両側には、搬送用の送り孔７３が一定間隔に形成されている。
【００８０】
位置決めのためにフィルム基材７１には、アンテナ内蔵ＩＣタグ７０から一定距離をおいて、マーカ７４がプリントされている。フィルム基材としては、ポリイミドフィルム、ポリエステルフィルム、ＰＥＴフィルム、ビニルフィルム、紙等の種々の素材の中から耐熱性、寸法安定性、耐湿性等の必要な条件を満たすものであれば、どのようなものでも選択することができる。
【００８１】
また、熱可塑性樹脂としては、例えばポリエチレン、ポリプロピレン、エチレン−プロピレン共重合体、エチレン−酢酸ビニル共重合体、アイオノマー樹脂、エチレン−アクリル酸共重合体、エチレン−アクリル酸エチル共重合体、メチルペテン樹脂、ポリブテン樹脂、ポリ酢酸ビニル系樹脂、ポリ塩化ビニル系樹脂等のビニル系樹脂、ワックス系樹脂、オレフィン系樹脂の種々、及びこれらの樹脂を混合した材料から選定することができる。
【００８２】
但し、ＩＣは高熱に弱いので、軟化点または融点が２００℃以下の樹脂が望ましい。また、ＩＣは水分により劣化するため水蒸気透過率が低い熱可塑性樹脂が望ましい。さらに、熱可塑性樹脂にカーボンブラック、無機顔料、金属粉等の添加剤を必要に応じて添加することができるが、無線で記録するために電波を透過することが必要であり、この為抵抗値が低くすぎないようにする必要がある。
【００８３】
図１６は、上記構成のアンテナ内蔵ＩＣタグ７０を貼付する構成を説明する図である。ＩＣタグキャリアテープ７５は、フィルム基材上に塗布された熱可塑性樹脂中にＩＣタグ７０を一定間隔に配設し、多数のＩＣタグ７０を担持している。荷物が搬送されてくると、ＩＣタグキャリアテープ７５は、荷物の包装容器１の外壁に接触し、ＩＣタグキャリアテープ７５の不図示の送り穴と噛み合うスプロケット７６で包装容器１と等速で移動し、光学的なマーカ検知器７７で位置決めされる。ＩＣタグキャリアテープ７５が感熱ヘッド７８の先端の発熱素子７９近傍に移動した時、発熱素子７９に電流が流れ、ＩＣタグキャリアテープ７５は加熱され、熱可塑性樹脂が軟化点以上の温度に加温されて軟化し、ＩＣタグ７０と共に包装容器１に移行する。
【００８４】
この感熱ヘッド７８との接触ゾーンを過ぎると熱の供給が遮断され、熱可塑性樹脂は冷却硬化し、ＩＣタグ７０を包装容器１に強固に固着する。
以上のように、荷物に広告情報を付加することにより有効な広告効果が得られるが、更に本例における広告情報を付与した荷物の配達後に広告情報を付与された商品の売り上げの経時的情報を収集し、広告情報を付加するに当たって設定した条件と商品の売り上げの経時的情報をコンピュータで比較検討して、どのような条件が広告効果に有効かを評価することが可能となる。
【００８５】
例えば、広告を付与すべきの選択条件を種々設定し、特定地区の配送センタで期間毎に選択条件を変更して広告を付与して商品の販売動向を測定し、最も広告効果が上がる条件を把握した後、全国的に展開するという利用方法も考えられる。
【図面の簡単な説明】
【００８６】
【図１】実施形態１を説明する広告システムのシステム構成図である。
【図２】実施形態１を説明する広告システムの機能ブロック図である。
【図３】実施形態２を説明する広告システムのシステム構成図である。
【図４】実施形態３を説明する広告システムのシステム構成図である。
【図５】実施形態４を説明する広告システムのシステム構成図である。
【図６】実施形態５を説明する広告システムの機能ブロック図である。
【図７】実施形態６を説明する広告システムの機能ブロック図である。
【図８】実施形態７を説明する広告システムのシステム構成図である。
【図９】広告システムに使用される広告が付与された包装容器を説明する図である。
【図１０】電子記録媒体の形状の一例の説明の図である。
【図１１】図１０に示す電子記録媒体を使用する広告システムのシステム構成図である。
【図１２】実施形態８を説明する広告システムの機能ブロック図である。
【図１３】実施形態９を説明する広告システムのシステム構成図である。
【図１４】電子記録媒体の供給形態の一例を示す図である。
【図１５】電子記録媒体の供給形態の一例を示す図である。
【図１６】実施形態１０で説明する広告システムにおける電子記録媒体の貼付装置の一例を示す図である。
【符号の説明】
【００８７】
１・・・包装容器
２・・・搬送コンベア
３・・・送り状
４・・・配送先読み取り装置
５、７・・・ケーブル
６・・・コンピュータ
８、２１、２８・・・プリンタ装置
９−１、９−２・・・広告画像
１２・・・宛先読取り手段
１３・・・顧客データベース
１４・・・属性情報
１５・・・演算手段
１６・・・広告情報データベース１６
１７・・・広告データ
１８・・・広告情報付加手段
２０・・・蓋
２２、２９・・・広告用紙
２３・・・包装容器
２４・・・ハンディスキャナ
２５・・・電動カート
２６・・・電動棚
２７・・・アンテナ
３０・・・広告期間データベース
３１・・・地域条件データベース
３３・・・広告画像
３４・・・広告情報コード
４０・・・ＲＦＩＤタグ
４１・・・基板
４２・・・タグアンテナ
４３・・・ＩＣチップ
４４・・・無線リーダーライタ装置
５０・・・ＲＦＩＤタグ貼付装置
５１・・・ＲＦＩＤタグ供給ロール
５２・・・巻き取りロール
５３・・・ケーブル
６０・・・粘着剤
６１・・・剥離剤
６２・・・フィルム機材
７０・・・アンテナ内蔵ＩＣタグ
７１・・・フィルム基材
７２・・・熱可塑性樹脂
７３・・・送り孔
７４・・・マーカ
７５・・・ＩＣタグキャリアテープ
７６・・・スプロケット
７７・・・マーカ検知器
７８・・・感熱ヘッド
７９・・・発熱素子
【図１】
2006155420.tif 000003
【図２】
2006155420.tif 000004
【図３】
2006155420.tif 000005
【図４】
2006155420.tif 000006
【図５】
2006155420.tif 000007
【図６】
2006155420.tif 000008
【図７】
2006155420.tif 000009
【図８】
2006155420.tif 000010
【図９】
2006155420.tif 000011
【図１０】
2006155420.tif 000012
【図１１】
2006155420.tif 000013
【図１２】
2006155420.tif 000014
【図１３】
2006155420.tif 000015
【図１４】
2006155420.tif 000016
【図１５】
2006155420.tif 000017
【図１６】
2006155420.tif 000018